(57)【要約】【課題】固定装置において、光電変換デバイスの感光面と当該キャリッジモジュールハウジングの光学的中心線との直交状態を確保する。【解決手段】光電変換デバイスとキャリッジモジュールハウジングとの間に応用され、そのうち光電変換デバイスは回路板上に固設されている。当該固定装置には、光電変換デバイスを固設しており光電変換デバイスと共にワークピースを形成するとともに、少なくとも１か所の固定孔が備わっている保持部品と、当該固定孔を貫通してキャリッジモジュールハウジング上に密着して締め付けることにより、キャリッジモジュールハウジングをワークピース上に当接させ、光電変換デバイスの感光面とキャリッジモジュールハウジングの光学的中心線との直交状態を確保する少なくとも１か所の固定部品とが備わっている。【選択図】  図４
2004328707.tif 000002
【特許請求の範囲】
【請求項１】
画像スキャナにおいて光電変換デバイスとキャリッジモジュールハウジングとの間に応用され、当該光電変換デバイスが回路板上に固設される固定装置であり、
当該光電変換デバイスを固設しており当該光電変換デバイスと共に当接ワークピースを形成するとともに、少なくとも１か所の固定孔が備わっている保持部品と、
当該固定孔を貫通して当該キャリッジモジュールハウジング上に密着して締め付けることにより、当該キャリッジモジュールハウジングを当該ワークピース上に当接させ、当該光電変換デバイスの感光面と当該キャリッジモジュールハウジングの光学的中心線との直交状態を確保する少なくとも１か所の固定部品と
を備えていることを特徴とする固定装置。
【請求項２】
当該それら保持部品は少なくとも弾性体を備えて当該光学変換デバイスに接触していることを特徴とする請求項１に記載の固定装置。
【請求項３】
当該弾性体の材質はプラスチックまたは金属から選択されることを特徴とする請求項２に記載の固定装置。
【請求項４】
当該固定部品はネジであることを特徴とする請求項１に記載の固定装置。
【請求項５】
当該回路板上には少なくとも１か所のネジ孔が備わっており、その位置はそれぞれ当該保持部品上に別途備わっている固設ネジ孔に対応し、固設ネジが螺入されることにより当該保持部品と当該光電変換デバイスとが当該当接ワークピースを形成することを特徴とする請求項１に記載の固定装置。
【請求項６】
当該光電変換デバイスは電荷結合素子であることを特徴とする請求項１に記載の固定装置。
【請求項７】
キャリッジモジュールハウジングは画像スキャナのキャリッジモジュールハウジングであることを特徴とする請求項１に記載の固定装置。
【発明の詳細な説明】
【０００１】
【発明の属する技術分野】
本発明は、固定装置に関するものであり、特に光電変換デバイスとキャリッジモジュールハウジングとの間に応用される固定装置に関するものである。
【０００２】
【従来の技術】
図１、図２に示されているのは、画像スキャナにおけるキャリッジモジュールハウジングの公知構造見取図であり、そのうち被走査物（図中には未表示）が反射した光線は光学機構本体１１中の反射鏡ユニット１１１により案内され、さらにレンズ１１２により集束されて電荷結合素子（ＣＣＤ）１３上に伝達される。図１に示されている通り、通常、電荷結合素子（ＣＣＤ）１３はプリント基板１４上に設置されており、さらにネジ１５により当該プリント基板１４が光学機構本体１１上に締め付けられて固定されている。そして光学機構本体１１中に位置するレンズ１１２に対する前後移動により、焦点距離を調整するという目的が達成される。しかし、電荷結合素子（ＣＣＤ）１３が溶接方式でプリント基板１４上に固定されている場合には、溶接による浮き上がり（図３（ａ）に示されている通り）またはプリント基板１４自身が平坦でないことにより（図３（ｂ）に示されている通り）、組立て完了後の電荷結合素子（ＣＣＤ）１３の表面がレンズ１１２の中心線と垂直とはならずに偏るという状況が発生する可能性があり、その場合には電荷結合素子（ＣＣＤ）１３の左右両側の焦点が異なる結果となる。
【０００３】
前記欠陥を改善するため、図２に示されている公知の調整構造が考案されており、別途に製作された調整エレメント１６を利用し、それを光学機構本体１１の内部に設置して焦点距離（被走査物とレンズ１１２との間の距離）を調整し、さらに調整エレメント１６とプリント基板１４との間を同時に貫通する挿入ピン１７に対して調整を施した後にシールド接着剤で固定することにより、電荷結合素子（ＣＣＤ）１３の表面角度を調整するという機能が達成される。後者の調整により、それとレンズ１１２中心線とは垂直となるが、その調整が可能な角度は過度に小さいため、その作業は容易ではなく時間も消費される。このように組立て担当者に面倒が引き起こされるため、製品生産の進度にも重大な影響が及ぶ結果となる。
【０００４】
【発明が解決しようとする課題】
どのようにして上記公知手段の欠陥を改善し、溶接による浮き上がりまたは回路板が平坦でないことにより引き起こされる欠陥を効果的に回避し、更に一歩進んで公知手段においては電荷結合素子（ＣＣＤ）の表面を調整しようとする際には、過度に煩雑な組立て作業が組立て担当者に対して引き起こす面倒を解消するのかが、本発明を公開する主な目的である。
【０００５】
【課題を解決するための手段】
本発明は、固定装置に関するものであり、光電変換デバイスとキャリッジモジュールハウジングとの間に応用され、そのうち当該光電変換デバイスは回路板上に固設されており、当該固定装置には、当該光電変換デバイスを固設しており当該光電変換デバイスと共に当接ワークピースを形成するとともに、少なくとも１か所の固定孔が備わっている保持部品と、当該固定孔を貫通して当該キャリッジモジュールハウジング上に密着して締め付けることにより、当該キャリッジモジュールハウジングを当該当接ワークピース上に当接させ、当該光電変換デバイスの感光面と当該キャリッジモジュールハウジングの光学的中心線との直交状態を確保する少なくとも１か所の固定部品とを備えている。
【０００６】
前記構想に基づき、本発明で言及されている固定装置について、そのうち当該それら保持部品は少なくとも弾性体を備えて当該光学変換デバイスに接触している。
【０００７】
前記構想に基づき、本発明で言及されている固定装置について、そのうち当該弾性体の材質はプラスチックまたは金属から選択されている。
【０００８】
前記構想に基づき、本発明で言及されている固定装置について、そのうち当該それら固定部品はネジにより固定されている。
【０００９】
前記構想に基づき、本発明で言及されている固定装置について、そのうちその内部に応用される当該回路板上には少なくとも１か所のネジ孔が備わっており、その位置はそれぞれ当該保持部品上に別途備わっている固設ネジ孔に対応し、固設ネジが螺入されることにより当該保持部品と当該光電変換デバイスとが当該当接ワークピースを形成している。
【００１０】
前記構想に基づき、本発明で言及されている固定装置について、そのうちその内部に応用される当該光電変換デバイスは電荷結合素子である。
【００１１】
前記構想に基づき、本発明で言及されている固定装置について、そのうちその内部に応用される当該キャリッジモジュールハウジングは画像スキャナのキャリッジモジュールハウジングである。
【００１２】
本発明については下記図面と詳細説明により、更に理解が深まるはずである。
【００１３】
本発明の図面中に記載されている各エレメントは以下の通りである。
１１は光学機構本体、１１１は反射鏡ユニット、１１２はレンズ、１３は電荷結合素子、１４はプリント基板、１５はネジ、１６は調節エレメント、１７は挿入ピン、３０は回路板、３１は光電変換デバイス、３００はネジ孔、３２は保持部品、３２０は固設ネジ孔、３２１、３２２は固定孔、３４は第一固定部品、３５は第二固定部品、３６はキャリッジモジュールハウジング、３６１、３６２はネジ孔、３６０は接触面である。
【００１４】
【発明の実施の形態】
図４、図５に示されているのは、本発明における公知手段の欠陥に改善が施されるように考案された固定装置の適正実施例についての構造見取図である。そのうち電荷結合素子（ＣＣＤ）により構成される光電変換デバイス３１は、溶接により回路板３０（ＰＣＢ）上に固設されており、当該回路板３０上にはネジ孔３００が備わっており、その位置はそれぞれ当該保持部品３２上に備わっている固設ネジ孔３２０に対応し、固設ネジが螺入されて当該保持部品３２と当該光電変換デバイス３１とが結合された上で固定されることにより、共同して当該当接ワークピースを形成している。また、当該保持部品３２上には別途固定孔３２１、３２２が備わっており、第一固定部品３４と第二固定部品３５とが挿入されてキャリッジモジュールハウジング３６上のネジ孔３６１、３６２中に設置可能となっている。通常、当該それら固定部品３４、３５はネジである。
【００１５】
固設ネジ孔３２０は、保持部品３２上に開口３２ａを成形することにより腕状に突設した部分３２５に設けられている。また、光電変換デバイス３１は、保持部品３２の開口３２ａ内を挿通した状態で保持される。
【００１６】
本発明の主な技術的特徴は、当該当接ワークピースには主に当該光電変換デバイス３１の感光面３１１と平行な位置決め基準面が備わっていることにあり、本実施例において、当該位置決め基準面は当該保持部品３２に備わっている弾性体（クランプ）３２３の上部表面により構成されるように設計されており、その表面は基本的に光電変換デバイス３１の感光面３１１と平行状態を呈している。弾性体３２３は、保持部品３２に一体に結合されており、開口３２ａが形成されることによりブリッジ状に保持部品３２の平面よりも突出形成されている。このようにして、ネジで構成される固定部品３４、３５が当該それら固定孔３２１、３２２を介してキャリッジモジュールハウジング３６上に設置されているネジ孔３６１、３６２に螺入されると、当該それら弾性体３２３の上部表面により構成される位置決め基準面が当該キャリッジモジュールハウジング３６の接触面３６０に密接することにより、当該光電変換デバイス３１の感光面３１１と当該キャリッジモジュールハウジングの光学的中心線との直交状態が確保され、公知手段における欠陥の改善が達成される。
【００１７】
図６では、溶接による浮き上がりにより、回路板３０と光電変換デバイス３１との間が密接せずに歪みを呈した場合においても、本発明の装置においては光電変換デバイス３１の感光面３１１と当該キャリッジモジュールハウジングの光学的中心線との直交状態が確保され、偏り傾斜状況は発生しないことが示されている。固定点はすでに保持部品３２上に転移しているため、すでに歪みが発生している回路板３０を完全に回避することができ、弾性体３２３が提供可能な若干の形状変化により回路板３０と光電変換デバイス３１との間の歪みが受容される。
【００１８】
図７では、回路板３０自身が平坦でないことにより、回路板３０と光電変換デバイス３１との間が密接せずに歪みを呈した場合においても、本発明の装置においては光電変換デバイス３１の感光面３１１と当該キャリッジモジュールハウジングの光学的中心線との直交状態が確保され、偏り傾斜状況は発生しないことが示されている。固定点はすでに保持部品３２上に転移しているため、平面が平坦ではない回路板３０を完全に回避することができ、同様にして、弾性体３２３が提供可能な若干の形状変化により回路板３０と光電変換デバイス３１との間の歪みが受容される。
【００１９】
【発明の効果】
上述した通り、本発明で公開されている手段においては、組立て時にすでに光電変換デバイス３１の感光面３１１と当該キャリッジモジュールハウジングの光学的中心線との直交状態の正確さが確保されているため、溶接による浮き上がりまたは回路板が平坦でないことにより引き起こされる欠陥を効果的に回避することができ、更に調整ピンを利用して感光面３１１の角度を回転させて調整することも不要である。このようにして公知手段の各種欠陥は効果的に解決され、本発明公開の主要目的は達成される。当然ながら、本発明は当該技術に習熟している技術者であれば、何らかの創意工夫を凝らして諸々の修飾を施すことが可能であるが、それらすべてが添付の特許請求の範囲を逸脱していない場合には、その保護範囲内であることは言うまでもない。
【図面の簡単な説明】
【図１】画像スキャナにおけるキャリッジモジュールハウジングの公知構造見取図である。
【図２】画像スキャナにおけるキャリッジモジュールハウジングの公知構造見取図である。
【図３】（ａ）は公知構造における溶接による浮き上がりとプリント基板が平坦でないことにより引き起こされる電荷結合素子表面とレンズ中心線との間に偏りが発生した際の断面図、（ｂ）は公知構造における溶接による浮き上がりとプリント基板が平坦でないことにより引き起こされる電荷結合素子表面とレンズ中心線との間に偏りが発生した際の断面図である。
【図４】本発明における公知手段の欠陥に改善が施されるように考案された固定装置の適正実施例についての断面図である。
【図５】本発明における公知手段の欠陥に改善が施されるように考案された固定装置の適正実施例についての断面図である。
【図６】溶接による浮き上がりが発生するか、または回路板が平坦でない場合においても、本発明では電荷結合素子表面とレンズ中心線との直交関係を維持することができることを示す断面図である。
【図７】同上と同等のことができることを示す断面図である。
【符号の説明】
３０  回路板
３００  ネジ孔
３１  光電変換デバイス
３１１  感光面
３２  保持部品
３２０  固設ネジ孔
３２１、３２２  固定孔
３４  第一固定部品
３５  第二固定部品
３６  キャリッジモジュールハウジング
３６１、３６２  ネジ孔
【図１】
2004328707.tif 000003
【図２】
2004328707.tif 000004
【図３】
2004328707.tif 000005
【図４】
2004328707.tif 000006
【図５】
2004328707.tif 000007
【図６】
2004328707.tif 000008
【図７】
2004328707.tif 000009